(57)【要約】  ＮＲにおけるサイドリンク通信のための物理リソース設定に関連するユーザ機器、基地局、及び無線通信方法が提供される。ユーザ機器は、動作中、キャリアにおいて物理サイドリンクチャネルを送信及び／又は受信するために割当てられる送信時間間隔（ＴＴＩ）を決定する回路と、動作中、キャリアにおいてＴＴＩに基づいて物理サイドリンクチャネルを送信及び／又は受信する送受信機と、を備え、ＴＴＩの期間はスロット期間よりも短い。
2021532618.tif 000002
【特許請求の範囲】
【請求項１】
動作中、キャリアにおいて物理サイドリンクチャネルを送信又は受信するために割当てられる送信時間間隔（ＴＴＩ）を決定する回路と、
動作中、前記キャリアにおいて前記ＴＴＩに基づいて前記物理サイドリンクチャネルを送信又は受信する送受信機と、
を備え、
前記ＴＴＩの期間はスロット期間よりも短い、
ユーザ機器。
【請求項２】
前記スロット期間は、少なくとも１つのＴＴＩを含み、前記少なくとも１つのＴＴＩの各々は、１つ以上のＯＦＤＭシンボルを含み、最初のＴＴＩ期間は、スロットの最初のＯＦＤＭシンボルから開始し、前記少なくとも１つのＴＴＩの各々のＴＴＩ期間の直後のＯＦＤＭシンボルは、ガード期間のために予約されている、
請求項１に記載のユーザ機器。
【請求項３】
ロングＴＴＩ期間は、閾値以上の数の複数のＯＦＤＭシンボルを含む、
請求項１に記載のユーザ機器。
【請求項４】
前方ＤＭＲＳ及び付加的なＤＭＲＳの両方が、前記ロングＴＴＩ期間において送信され、前記前方ＤＭＲＳは、前記ロングＴＴＩ期間の２番目のＯＦＤＭシンボルにおいて送信され、前記付加的なＤＭＲＳは、前記２番目のＯＦＤＭシンボルより後の他のＯＦＤＭシンボルにおいて送信される、
請求項３に記載のユーザ機器。
【請求項５】
ショートＴＴＩ期間は、閾値未満の数の少なくとも１つのＯＦＤＭシンボルを含む、
請求項１に記載のユーザ機器。
【請求項６】
付加的なＤＭＲＳは送信されず、前方ＤＭＲＳのみが、前記ショートＴＴＩ期間の２番目のＯＦＤＭシンボルにおいて送信される、
請求項５に記載のユーザ機器。
【請求項７】
前記ＴＴＩにおいて、ＰＳＣＣＨによって使用されるＯＦＤＭシンボルは、ＰＳＳＣＨによって使用されるＯＦＤＭシンボルよりも少ない、
請求項２に記載のユーザ機器。
【請求項８】
ＰＳＣＣＨ及びＰＳＳＣＨは、前記キャリアにおいて同じＯＦＤＭシンボル内で周波数分割多重される、
請求項２に記載のユーザ機器。
【請求項９】
前記スロット内の異なるＴＴＩにおけるＯＦＤＭシンボルは、時間領域において直交する、
請求項２に記載のユーザ機器。
【請求項１０】
ＤＦＴ−Ｓ−ＯＦＤＭの場合、前記ＴＴＩ期間は、少なくとも２つのＯＦＤＭシンボルを含む、
請求項２に記載のユーザ機器。
【請求項１１】
リソース選択ウィンドウの期間及び／又は検知ウィンドウの期間は、前記ＴＴＩの期間に応じて決定される、
請求項１に記載のユーザ機器。
【請求項１２】
閾値よりも長い期間を有する前記ＴＴＩは、長い期間を有するＴＴＩの送信用の前記検知ウィンドウにおいて検知される、
請求項１１に記載のユーザ機器。
【請求項１３】
前記検知ウィンドウにおいてＳ−ＲＳＳＩを測定するために使用されるＴＴＩ期間は、前記リソース選択ウィンドウにおいてリソース候補をランク付けするために使用されるＴＴＩ期間と同じである、
請求項１１に記載のユーザ機器。
【請求項１４】
ユーザ機器についての無線通信方法であって、
キャリアにおいて物理サイドリンクチャネルを送信又は受信するために割当てられる送信時間間隔（ＴＴＩ）を決定することと、
前記キャリアにおいて前記ＴＴＩに基づいて前記物理サイドリンクチャネルを送信又は受信することと、
を含み、
前記ＴＴＩの期間はスロット期間よりも短い、
無線通信方法。
【請求項１５】
前記ＴＴＩの期間に応じて、リソース選択ウィンドウの期間及び／又は検知ウィンドウの期間を決定すること
を更に含む、請求項１４に記載の無線通信方法。
【請求項１６】
動作中、キャリアにおいて物理サイドリンクチャネルを送信又は受信するための時間領域リソースを示す設定信号を生成する回路と、
動作中、前記設定信号をユーザ機器に送信する送信機と、
を備え、
前記キャリアにおいて前記物理サイドリンクチャネルを送信又は受信するために割当てられる送信時間間隔（ＴＴＩ）は、前記ユーザ機器によって、前記設定信号に基づいて決定され、前記ＴＴＩの期間はスロット期間よりも短い、
基地局。
【請求項１７】
基地局についての無線通信方法であって、
キャリアにおいて物理サイドリンクチャネルを送信又は受信するための時間領域リソースを示す設定信号を生成することと、
前記設定信号をユーザ機器に送信することと、
を含み、
前記キャリアにおいて前記物理サイドリンクチャネルを送信又は受信するために割当てられる送信時間間隔（ＴＴＩ）は、前記ユーザ機器によって、前記設定信号に基づいて決定され、前記ＴＴＩの期間はスロット期間よりも短い、
無線通信方法。
【発明の詳細な説明】
【技術分野】
【０００１】
本開示は、無線通信の分野に関し、詳細には、ＮＲ（新しい無線アクセス技術）において物理サイドリンクチャネルを送信又は受信するための物理リソース設定に関連するユーザ機器（ＵＥ）、基地局（ｇＮＢ）、及び無線通信方法に関する。
【背景技術】
【０００２】
第３世代パートナーシッププロジェクト（３ＧＰＰ：the Third Generation Partnership Project）のロングタームエボリューション（ＬＴＥ：Long Term Evolution）では、キャリア（「セル」とも呼ばれる）は、時間領域及び周波数領域における無線リソースである。キャリアは、周波数領域において複数のサブキャリアに細分化されてよく、時間領域において複数のフレームに細分化されてよい。１フレームは、１０個のサブフレームに細分化されてよく、各サブフレームは、２つのスロットに細分化されてよい。各サブフレームは、時間領域における所定数のＯＦＤＭシンボル（１２シンボル又は１４シンボル）からなる。ＯＦＤＭシンボルの各々は、それぞれのサブキャリアにおいて送信される複数の変調シンボルからなる。データ及び制御情報の送信及び／又は受信は、時間領域における送信時間間隔（ＴＴＩ：Transmission Time Interval）をベースにして実行されてよく、ＴＴＩ期間（duration）は、１サブフレーム又は複数サブフレームであってよい。
【０００３】
ＬＴＥサイドリンクベースのＶ２Ｘ（Vehicle to anything）は、３ＧＰＰ仕様のリリース１４及びリリース１５において規定されている。ＬＴＥでは、短縮ＴＴＩは、物理サイドリンクチャネルに対してサポートされておらず、ＴＴＩの割当ては、サブフレームレベルである。ＬＴＥでは、ＰＳＣＣＨ（サイドリンク制御チャネル）及び関連するＰＳＳＣＨ（サイドリンクデータチャネル）は、同じサブフレームに配置され、周波数分割多重（ＦＤＭ）される。
【０００４】
ＬＴＥ  Ｖ２Ｘでは、検知（sensing）は、サブフレームレベルで行われ、次の２つの側面を含む：（１）選択ウィンドウにおける不適切なリソース候補を除外するために、検知ウィンドウにおいて、ＰＳＣＣＨを復号し、ＰＳＳＣＨのサイドリンク参照信号受信電力（Ｓ−ＲＳＲＰ：Sidelink Reference Signal Receiving Power）を測定すること；（２）選択ウィンドウにおけるリソース候補をランク付けするために、サイドリンク受信信号強度指示（Ｓ−ＲＳＳＩ：Sidelink Received Signal Strength Indication）を測定すること。ＬＴＥ  Ｖ２Ｘでは、例えば、ＵＥは、１００ｍｓの周期でＰＳＳＣＨの複数のＳ−ＲＳＳＩ値を測定し、リソース候補セット内の複数の候補の中のあるリソース候補をランク付けするための基準として、複数のＳ−ＲＳＳＩ値を平均化する。
【０００５】
ここで、３ＧＰＰは、新（しい）無線（ＮＲ：New Radio）におけるＶ２Ｘベースのサイドリンクにおける物理チャネルの設計について議論する予定である。これまでのところ、ＮＲにおける物理サイドリンクチャネルのための物理リソース設定の議論は、まだ非常に初期の段階にあり、サイドリンクに対して物理チャネルリソースをどのように割当てるかは不明である。
【発明の概要】
【０００６】
非限定的且つ例示的な一実施形態は、ＵＥのフレキシブルな送信タイミング又は受信タイミングをサポートし、システム性能を向上させるために、ＮＲにおける物理サイドリンクチャネルのための物理リソース設定を決定することを容易にする。
【０００７】
本開示の第１の概括的な態様において、動作中、キャリアにおいて物理サイドリンクチャネルを送信又は受信するために割当てられる送信時間間隔（ＴＴＩ)を決定する回路と、動作中、キャリアにおいてＴＴＩに基づいて物理サイドリンクチャネルを送信又は受信する送受信機と、を備え、ＴＴＩの期間はスロット期間よりも短い、ユーザ機器（ＵＥ）が提供される。
【０００８】
本開示の第２の概括的な態様において、ユーザ機器についての無線通信方法であって、キャリアにおいて物理サイドリンクチャネルを送信又は受信するために割当てられるＴＴＩを決定することと、キャリアにおいてＴＴＩに基づいて物理サイドリンクチャネルを送信又は受信することと、を含み、ＴＴＩの期間はスロット期間よりも短い、無線通信方法が提供される。
【０００９】
本開示の第３の概括的な態様において、動作中、キャリアにおいて物理サイドリンクチャネルを送信又は受信するための時間領域リソースを示す設定信号を生成する回路と、動作中、設定信号をユーザ機器に送信する送信機と、を備え、キャリアにおいて物理サイドリンクチャネルを送信又は受信するために割当てられるＴＴＩは、ユーザ機器によって、設定信号に基づいて決定され、ＴＴＩの期間はスロット期間よりも短い、基地局が提供される。
【００１０】
本開示の第４の概括的な態様において、基地局についての無線通信方法であって、キャリアにおいて物理サイドリンクチャネルを送信又は受信するための時間領域リソースを示す設定信号を生成することと、設定信号をユーザ機器に送信することと、を含み、キャリアにおいて物理サイドリンクチャネルを送信又は受信するために割当てられるＴＴＩは、ユーザ機器によって、設定信号に基づいて決定され、ＴＴＩの期間はスロット期間よりも短い、無線通信方法が提供される。
【００１１】
なお、一般的な実施形態又は特定の実施形態は、ＵＥ、基地局、システム、方法、集積回路、コンピュータプログラム、記憶媒体、又はこれらの任意の選択的な組み合わせとして、実現可能であることに留意されたい。
【００１２】
開示されている実施形態の更なる恩恵及び利点は、本明細書及び図面から明らかになるであろう。これらの恩恵及び／又は利点は、本明細書及び図面の様々な実施形態及び特徴によって個別に得られることが可能である。ただし、このような恩恵及び／又は利点のうちの１つ以上を得るために、これらの特徴全てを設ける必要はない。
【図面の簡単な説明】
【００１３】
本開示の前述の特徴及び他の特徴は、添付の図面と併せて読まれる、以下の説明及び添付の特許請求の範囲から、より完全に明らかになるであろう。これらの図面は、本開示に従ったいくつかの実施形態を示しているだけに過ぎず、したがって、その範囲を限定するものとみなされるべきではないという理解の下で、本開示は、添付の図面を使用することによって、更に具体的且つ詳細に説明される。
【図１】本開示の一実施形態に従ったユーザ機器の一部のブロック図。
【図２】ＮＲにおけるサイドリンク通信の例示的なシナリオを示す図。
【図３】ＮＲにおけるサイドリンク通信の別の例示的なシナリオを示す図。
【図４】本開示の一実施形態に従った、物理サイドリンクチャネルを送信又は受信するために割当てられるＴＴＩの例示的なシナリオを示す図。
【図５】本開示の一実施形態に従った、物理サイドリンクチャネルを送信又は受信するために割当てられるＴＴＩの別の例示的なシナリオを示す図。
【図６】本開示の一実施形態に従った、物理サイドリンクチャネルを送信又は受信するために割当てられるＴＴＩの更なる例示的なシナリオを示す図。
【図７】本開示の一実施形態に従った、物理サイドリンクチャネルを送信又は受信するために割当てられるＴＴＩの更に別の例示的なシナリオを示す図。
【図８】本開示の一実施形態に従った、物理サイドリンクチャネルを受信及び送信するための信号検知及びリソース選択動作の例示的なシナリオを示す図。
【図９】本開示の一実施形態に従った、物理サイドリンクチャネルを受信及び送信するための信号検知及びリソース選択動作の別の例示的なシナリオを示す図。
【図１０】本開示の一実施形態に従った基地局の一部のブロック図。
【図１１】本開示の一実施形態に従ったユーザ機器の細部のブロック図。
【図１２】本開示の一実施形態に従った、２つのユーザ機器の間の通信のフローチャートの一例を示す図。
【図１３】本開示の一実施形態に従った、ユーザ機器についての無線通信方法のフローチャート。
【図１４】本開示の一実施形態に従った、基地局についての無線通信方法のフローチャート。
【発明を実施するための形態】
【００１４】
以下の詳細な説明では、本開示の一部を形成する添付の図面を参照する。図面において、同様の記号は、一般に、文脈がそうでないと示さない限り、同様の構成要素を識別するものである。本開示の態様は、多種多様な構成で、配置し、置換し、組み合わせ、設計することができ、その全てが、明示的に企図されており、本開示の一部を構成することが容易に理解されるであろう。
【００１５】
ＮＲでは、１フレームは、１０個のサブフレームに細分化されてよいが、ＬＴＥとは異なり、各サブフレームは、所定数（１個、２個、４個、８個、１６個）のスロットからなる。各スロットは、時間領域における所定数のＯＦＤＭシンボル（１２シンボル又は１４シンボル）からなる。データ及び制御情報の送信及び／又は受信は、時間領域におけるＴＴＩをベースにして実行される。
【００１６】
本開示に従うと、短縮ＴＴＩが、ＮＲ物理サイドリンクチャネルに対してサポートされる。この場合、物理リソース割当ては非常にフレキシブルであり、例えば、ＴＴＩは、スロットにおいて、任意の期間を有して任意の位置で開始することができる。しかしながら、ＮＲ物理サイドリンクチャネルに関して、ＰＳＣＣＨ／ＰＳＳＣＨを復号する可能性が多すぎるので、ＴＴＩのフレキシブルな送信タイミング（例えば、開始位置）及びフォーマット（例えば、期間、ＤＭＲＳパターン）をサポートすることは、受信機にとって非常に難しい。この考察に基づいて、本開示は、サイドリンク送信及び／又は受信のＴＴＩの期間がスロット期間よりも短いという特徴、及び、ＴＴＩの開始位置及び／又は期間が、異なるユースケースに応じて、設定、事前設定、又は指定されるという特徴を提案する。異なるユースケースは、より大きなカバレッジをサポートすること及び低遅延をサポートすることを含むが、これらに限定されるものではない。
【００１７】
本出願において開示されている実施形態は、ＮＲサイドリンクを用いる、Ｖ２Ｉ（vehicle to infrastructure）、Ｖ２Ｐ（vehicle to pedestrian）、Ｖ２Ｖ（vehicle to vehicle）、及び任意の他の通信を含むが、これらに限定されるものではないＶ２Ｘ（Vehicle to anything）に適用可能である。
【００１８】
本開示の一実施形態において、図１に示されているようなユーザ機器が提供される。図１は、本開示の一実施形態に従ったユーザ機器（ＵＥ）の一部のブロック図を示している。図１に示されているように、ＵＥ１００は、回路１１０及び送受信機１２０を含むことができる。回路１１０は、キャリアにおいて物理サイドリンクチャネルを送信及び／又は受信するために割当てられるＴＴＩを決定する。送受信機１２０は、キャリアにおいて決定されたＴＴＩに基づいて物理サイドリンクチャネルを送信及び／又は受信する。本開示に従うと、ＴＴＩの期間はスロット期間よりも短い。
【００１９】
本開示の一実施形態に従うと、「ＴＴＩ」及び／又は「スロット」という用語は、ＮＲにおけるサイドリンク送信及び／又は受信のために割当てられるリソースを指すが、これは、本開示を限定するものではなく、「リソース」、「時間リソース」等といった他の用語で置き換えられてもよい。
【００２０】
図２は、ＮＲにおけるサイドリンク通信の例示的なシナリオを示している。図２に示されているように、通信は、「ＳＬ」と表記されている２つの太い矢印によって示されているサイドリンクを介して２つの車両２０１及び２０２の間で実行されてよい。図１に示されているＵＥ１００が、車両２０１として用いられてもよく、ＵＥ１００と同じ機能を有する別のＵＥが、車両２０２として用いられてもよく、その逆であってもよい。
【００２１】
例えば、車両２０１は、キャリアにおいて物理サイドリンクチャネルを送信又は受信するために割当てられるＴＴＩを決定し、次いで、キャリアにおいてＴＴＩ内でサイドリンク信号を車両２０２に送信することができる。ここで、ＵＥ１００（例えば、車両２０１）から別のＵＥ（例えば、車両２０２）に送信されるサイドリンク信号は、例えば、物理サイドリンク制御チャネル（ＰＳＣＣＨ）のような制御チャネル、物理サイドリンク共有チャネル（ＰＳＳＣＨ）のようなデータチャネル、復調用参照信号（ＤＭＲＳ）、又は、物理サイドリンク報知チャネル（ＰＳＢＣＨ）及び／又はプライマリサイドリンク同期信号（ＰＳＳＳ）のような同期チャネルであってよい。また、車両２０１は、決定されたＴＴＩに基づいて、車両２０２からサイドリンクを受信することができる。
【００２２】
図３は、ＮＲにおけるサイドリンク通信の別の例示的なシナリオを示している。図２と同様に、図３において、通信は、「ＳＬ」と表記されている２つの太い矢印によって示されているサイドリンクを介して２つの車両２０１及び２０２の間で実行されてよい。図１に示されているＵＥ１００が、車両２０１として用いられてもよく、ＵＥ１００と同じ機能を有する別のＵＥが、車両２０２として用いられてもよく、その逆であってもよい。冗長さを避けるために、図２に示されているのと同じ内容は再度詳述されない。図２とは異なり、図３において、基地局（ＢＳ、ｇＮＢ）３１０が更に存在し、２つの車両２０１及び２０２は両方とも、ＢＳ３１０のカバレッジ内にある。基地局３１０と２つの車両２０１及び２０２の各々との間では、「ＤＬ」又は「ＵＬ」と表記されているそれぞれの矢印で示されているように、Ｕｕ通信も実行されてよい。ここで、「ＤＬ」はダウンリンクを示し、「ＵＬ」はアップリンクを示す。すなわち、ＮＲにおいて、サイドリンク通信とＵｕ通信とが共存し得る。Ｕｕを介して伝送されるシグナリングは、サイドリンクの伝送を制御することができる。図１に示されているような本開示の実施形態は、図２及び図３に示されている両方のシナリオに適用可能である。
【００２３】
物理サイドリンクチャネルについてＴＴＩの期間がスロット期間よりも短いことが、ＮＲ標準規格仕様において指定され得る。しかしながら、本開示は、これに限定されるものではない。このことは、物理サイドリンクチャネルについてＴＴＩの期間がスロット期間よりも短いことをシグナリングすることによって、設定又は事前設定されてもよい。例えば、ＵＥ１００が基地局のカバレッジ内にある場合、ＵＥ１００は、基地局から、物理サイドリンクチャネルについてＴＴＩの期間がスロット期間よりも短いことを設定する設定信号を受信することができる。設定信号は、ＤＣＩ、ＭＡＣ  ＣＥ、又はＲＲＣシグナリングであってよい。一方、ＵＥ１００がいずれの基地局のカバレッジ外にある場合、例えば、ＵＥ１００に事前に設定及び／又は記憶されるシグナリングを介して、物理サイドリンクチャネルについてＴＴＩの期間がスロット期間よりも短いことを事前設定することが可能である。
【００２４】
図１に示されているＵＥ１００によれば、物理サイドリンクチャネルについてＴＴＩの期間がスロット期間よりも短いので、物理リソース設定のフレキシビリティが向上する。
【００２５】
本開示の一実施形態に従うと、スロット内のＴＴＩの開始位置及び／又は期間は、異なるユースケースに応じて、設定、事前設定、又は指定される。ここで、ＮＲサイドリンクの物理チャネルは、モードＡ及びモードＢ等の２つのモードに分類される。例えば、モードＡは、ロング（長）ＴＴＩ期間がサポートされる、且つ／又は、前方ＤＭＲＳ（front-loaded DMRS）及び付加的なＤＭＲＳ（additional DMRS）の両方が常に存在する、大きなカバレッジを対象とすることができる。例えば、モードＢは、ショート（短）ＴＴＩ期間がサポートされる、且つ／又は、前方ＤＭＲＳのみが存在する、物理チャネルの低遅延を対象とすることができる。検知ウィンドウ及び／又はリソース選択ウィンドウの期間は、ロングＴＴＩ若しくはショートＴＴＩ又はこれら両方の期間に応じて決定され得る。
【００２６】
図４は、本開示の一実施形態に従った、物理サイドリンクチャネルを送信及び／又は受信するために割当てられるＴＴＩの例示的なシナリオを示している。図４において、横軸は時間を表し、縦軸は周波数を表す。時間方向では、「スロット１」及び「スロット２」等の２つのスロットが示されており、各スロットは１４ＯＦＤＭシンボルを含むことができる。周波数方向では、周波数リソースは複数のサブキャリアからなる。各ＯＦＤＭシンボルと各サブキャリアとの交差によって形成される領域は、リソースエレメント（この図では詳細には示されていない）と称され、サイドリンク通信のために割当てることができる物理リソースの最小エレメントである。図４において、右上から左下への斜線で示されている物理リソースはＰＳＣＣＨを表し、左上から右下への斜線で示されている物理リソースはＰＳＳＣＨを表し、空白ブロックで示されている物理リソースはＤＭＲＳを表す。
【００２７】
図４に示されているように、本開示の一実施形態に従うと、物理サイドリンクチャネルを送信及び／又は受信するために割当てられるＴＴＩは、スロット期間よりも短くなるように設定される。例えば、スロット１内のＴＴＩは、スロットに含まれる１４ＯＦＤＭシンボル全体よりも少ない１３ＯＦＤＭシンボルを含み、ＴＴＩは、スロット１の最初のシンボルから開始し、スロット１の最後のシンボルは、ガード期間（ＧＰ）処理のために予約されている。図４において、スロット１に含まれるＴＴＩのみが一例として示されているが、スロット２に含まれるＴＴＩの状況は示されていない。
【００２８】
本開示の一実施形態に従うと、１３シンボルを含むＴＴＩは、ロングＴＴＩ期間と定義され得る。しかしながら、本開示の実施形態は、この条件に限定されるものではない。ロングＴＴＩ期間は、ＯＦＤＭシンボルの数が閾値以上である複数のＯＦＤＭシンボルを含むものと定義されてもよい。ロングＴＴＩ期間は、より大きなカバレッジをサポートするユースケースを対象とし、ＴＴＩモードＡ又はＴＴＩモード１と称されることもある。
【００２９】
本開示の一実施形態に従うと、閾値は、５、６、７、８、９、及び１０のうちのいずれか１つに等しくてよい。例えば、閾値が６に等しい場合、６個以上のＯＦＤＭシンボルを含むＴＴＩは、ロングＴＴＩ期間と呼ばれる。ＴＴＩが長い期間を有するか又は短い期間を有するかを決定するための特定の閾値は、ＮＲ標準規格仕様において指定され得る。しかしながら、本開示は、これに限定されるものではない。本開示の別の実施形態に従うと、特定の閾値は、シグナリングによって設定又は事前設定されてもよい。例えば、ＵＥ１００は、基地局から、ＴＴＩが長い期間を有するか又は短い期間を有するかを決定するための特定の閾値をＵＥ１００に通知することができる設定信号を受信することができる。設定信号は、ＤＣＩ、ＭＡＣ  ＣＥ、又はＲＲＣシグナリングであってよい。
【００３０】
本開示の一実施形態に従うと、前方ＤＭＲＳ及び付加的なＤＭＲＳの両方が、ロングＴＴＩ期間において送信される。ここで、前方ＤＭＲＳは、ロングＴＴＩ期間の２番目のＯＦＤＭシンボルにおいて送信され、付加的なＤＭＲＳは、２番目のＯＦＤＭシンボルより後の他のＯＦＤＭシンボルにおいて送信される。図４に示されているように、ＤＭＲＳ４０１は、２番目のＯＦＤＭシンボルにおいて送信される前方ＤＭＲＳである。スロットの最初のシンボルは、潜在的なＡＧＣ処理に使用されるので、スロットの最初のシンボルは、ＤＭＲＳを送信するために使用され得ない。ロングＴＴＩ期間において、付加的なＤＭＲＳも送信される。図４に示されているように、ＤＭＲＳ４０２及びＤＭＲＳ４０３は、ロングＴＴＩ期間において送信され得る。ＤＭＲＳ４０２及びＤＭＲＳ４０３を送信する位置は、ロングＴＴＩにおいてフレキシブルに設定可能である。例えば、付加的なＤＭＲＳを送信する位置は、２番目のＯＦＤＭシンボルより後の任意の他のＯＦＤＭシンボルである。ＤＭＲＳを送信する位置は、上位レイヤから受信されるダウンリンク制御信号（ＤＣＩ）において設定又は指示され得る。
【００３１】
より少ないシンボルを含むＴＴＩ期間は、ショートＴＴＩ期間と定義され得る。例えば、ショートＴＴＩ期間は、少なくとも１つのＯＦＤＭシンボルを含むが、ＯＦＤＭシンボルの数は、閾値よりも少ない。ショートＴＴＩ期間は、低遅延をサポートするユースケースを対象とし、ＴＴＩモードＢ又はＴＴＩモード２と称されることもある。
【００３２】
本開示の一実施形態に従うと、閾値は、５、６、７、８、９、及び１０のうちのいずれか１つに等しくてよい。例えば、閾値が６に等しい場合、５個以下のＯＦＤＭシンボルを含むＴＴＩは、ショートＴＴＩ期間と呼ばれる。ＴＴＩが長い期間を有するか又は短い期間を有するかを決定するための特定の閾値は、ＮＲ標準規格仕様において指定され得る。しかしながら、本開示は、これに限定されるものではない。本開示の別の実施形態に従うと、特定の閾値は、シグナリングによって設定又は事前設定されてもよい。例えば、ＵＥ１００は、基地局から、ＴＴＩが長い期間を有するか又は短い期間を有するかを決定するための特定の閾値をＵＥ１００に通知することができる設定信号を受信することができる。設定信号は、ＤＣＩ、ＭＡＣ  ＣＥ、又はＲＲＣシグナリングであってよい。
【００３３】
図５は、本開示の一実施形態に従った、物理サイドリンクチャネルを送信及び／又は受信するために割当てられるＴＴＩの別の例示的なシナリオを示している。図５において、ＴＴＩ期間は、４ＯＦＤＭシンボルを含み、ショートＴＴＩ期間である。
【００３４】
本開示の一実施形態に従うと、付加的なＤＭＲＳは送信されず、前方ＤＭＲＳのみが、ショートＴＴＩ期間の２番目のＯＦＤＭシンボルにおいて送信される。具体的には、図５に示されているように、ＤＭＲＳ５０１は、ＴＴＩの２番目のＯＦＤＭシンボルにおいて送信される前方ＤＭＲＳである。ショートＴＴＩ期間において、付加的なＤＭＲＳは送信され得ない。最初のシンボルは、潜在的なＡＧＣ処理に使用されるので、最初のシンボルは、ＤＭＲＳを送信するために使用され得ない。モードＡ又はモードＢのいずれにおいても、最初のシンボルでＡＧＣに関する潜在的な処理がなされるので、前方ＤＭＲＳは、ＴＴＩの２番目のシンボルに配置される。
【００３５】
図６は、本開示の一実施形態に従った、物理サイドリンクチャネルを送信及び／又は受信するために割当てられるＴＴＩの更なる例示的なシナリオを示している。図６において、スロット１は、３つのショートＴＴＩを含む。最初のショートＴＴＩ(ＴＴＩ１）の期間は、４ＯＦＤＭシンボルを含み、ＴＴＩ１は、スロット１内の最初のシンボルから開始する。２番目のショートＴＴＩ(ＴＴＩ２）の期間は、３ＯＦＤＭシンボルを含み、ＴＴＩ２は、スロット１の６番目のシンボルから開始する。３番目のショートＴＴＩ(ＴＴＩ３）の期間は、４ＯＦＤＭシンボルを含み、ＴＴＩ３は、スロット１内の１０番目のシンボルから開始する。２つのＴＴＩの間に配置されている２つのＯＦＤＭシンボルとスロット１の最後のＯＦＤＭシンボルとは、ＧＰ１、ＧＰ２、及びＧＰ３でそれぞれ示されているように、ガード期間（ＧＰ）処理のために予約されている。
【００３６】
本開示の実施形態に従うと、スロットは、図４に示されているＴＴＩ及び図６に示されている３つのＴＴＩ等の少なくとも１つのＴＴＩを含む。ＴＴＩの各々は、１つ以上のＯＦＤＭシンボルを含み、最初のＴＴＩ期間は、スロットの最初のＯＦＤＭシンボルから開始し、ＴＴＩ期間の各々の直後のＯＦＤＭシンボルは、ガード期間（ＧＰ）処理のために予約されている。ガード期間は、物理チャネル伝搬遅延の悪影響を回避するために使用される。ＧＰは、それぞれのＴＴＩの間に設定され得るので、各ＴＴＩの開始位置及び／又は期間は、ＧＰの存在に応じて、設定、事前設定、又は指定される必要がある。
【００３７】
本開示の別の実施形態に従うと、ＤＦＴ−Ｓ−ＯＦＤＭの場合、ＤＭＲＳは、１シンボルにおいて送信される必要があるので、ＴＴＩ期間は、少なくとも２つのＯＦＤＭシンボルを含む。
【００３８】
本開示の上記の実施形態に従うと、付加的なＤＭＲＳは、ロングＴＴＩ期間において送信されるが、ショートＴＴＩ期間においては送信されない。ＤＦＴ−Ｓ−ＯＦＤＭの場合、ＤＭＲＳは、１ＯＦＤＭシンボルにおいて送信される必要があるので、ＴＴＩは、少なくとも２つのＯＦＤＭシンボルを含む必要があり、そのうちの他のＯＦＤＭシンボルは、ＰＳＳＣＨ及び／又はＰＳＣＣＨを送信するために使用される。この場合、スロット内の各ＴＴＩの開始位置及び／又は期間は、ＤＭＲＳの存在、及び／又は、付加的なＤＭＲＳが送信されるかどうか、に応じて、設定、事前設定、又は指定される必要がある。
【００３９】
本開示の一実施形態に従うと、ＴＴＩ期間において、ＰＳＣＣＨによって使用されるＯＦＤＭシンボルは、ＰＳＳＣＨによって使用されるＯＦＤＭシンボルよりも少ない。例えば、スロット内のショートＴＴＩの各々について、ＰＳＣＣＨの期間は、制御チャネルの処理時間を短縮するために、ＰＳＳＣＨの期間よりも短い。図５に示されているように、ＴＴＩの期間は、ＯＦＤＭシンボル５０２、５０３、５０４、及び５０５を含む。ＯＦＤＭシンボル５０２及び５０４は、ＰＳＣＣＨによって使用され、ＯＦＤＭシンボル５０２、５０４、及び５０５は、ＰＳＳＣＨによって使用され、ＰＳＣＣＨによって使用されるＯＦＤＭシンボルは、ＰＳＳＣＨによって使用されるＯＦＤＭシンボルよりも少ない。本開示の別の実施形態に従うと、ＰＳＣＣＨによって使用されるＯＦＤＭシンボルがＰＳＳＣＨによって使用されるＯＦＤＭシンボルよりも少ないという特徴は、スロット内のロングＴＴＩにも適用される。
【００４０】
本開示の一実施形態に従うと、ＰＳＣＣＨ及びＰＳＳＣＨは、キャリアにおいて同じＯＦＤＭシンボル内で周波数分割多重（ＦＤＭ）される。図５に示されているように、ＯＦＤＭシンボル５０２では、ＰＳＣＣＨは、周波数帯域の一部分を占有し、ＰＳＳＣＨは、周波数帯域の別の部分を占有し、これらは、同じＯＦＤＭシンボル５０２内で周波数分割多重（ＦＤＭ）される。本開示の別の実施形態に従うと、ＰＳＣＣＨ及びＰＳＳＣＨがキャリアにおいて同じＯＦＤＭシンボル内で周波数分割多重（ＦＤＭ）されるという特徴は、ロングＴＴＩ及びショートＴＴＩの両方に適用される。
【００４１】
本開示の一実施形態に従うと、スロット内の異なるＴＴＩにおけるＯＦＤＭシンボルは、時間領域において直交する。図７は、本開示の一実施形態に従った、物理サイドリンクチャネルを送信及び／又は受信するために割当てられるＴＴＩの更に別の例示的なシナリオを示している。図７において、スロットは、ＴＴＩ１及びＴＴＩ２等の２つのＴＴＩを含み、ＴＴＩ１はロングＴＴＩ期間であり、ＴＴＩ２はショートＴＴＩ期間である。２つのＴＴＩの間に配置されているＯＦＤＭシンボルとスロットの最後のＯＦＤＭシンボルとは、ＧＰ１及びＧＰ２でそれぞれ示されているように、ガード期間（ＧＰ）処理のために予約されている。本開示の別の実施形態に従うと、スロット内の異なるＴＴＩにおけるＯＦＤＭシンボルが時間領域において直交するという特徴は、ロングＴＴＩ及びショートＴＴＩの両方に適用される。
【００４２】
図７に示されているように、ロングＴＴＩ期間「ＴＴＩ１」には、８ＯＦＤＭシンボルが含まれ、ショートＴＴＩ期間「ＴＴＩ２」には、４ＯＦＤＭシンボルが含まれる。本開示の一実施形態に従うと、ロングＴＴＩ期間「ＴＴＩ１」におけるＯＦＤＭシンボルとショートＴＴＩ期間「ＴＴＩ２」におけるＯＦＤＭシンボルとは、時間領域において直交する。各ＴＴＩの開始位置及び／又は期間は、ＴＴＩが時間領域において直交するかどうかに応じて、設定、事前設定、又は指定される必要がある。
【００４３】
本開示の一実施形態に従うと、リソース選択ウィンドウの期間及び／又は信号検知ウィンドウの期間は、ＴＴＩの期間に応じて決定される。ＴＴＩモードＡ及びモードＢでは、長い期間を有するＴＴＩと短い期間を有するＴＴＩとで異なるリソース選択ウィンドウが使用される。長い期間での送信については、より長い選択ウィンドウが使用され、短い期間での送信については、より短い選択ウィンドウが使用される。しかしながら、モードＡ及びモードＢの両方について、長い期間を有するＴＴＩ及び短い期間を有するＴＴＩの両方が検知される必要がある。長い期間を有するＴＴＩ用の検知ウィンドウと短い期間を有するＴＴＩ用の検知ウィンドウとは、同じサイズであることもあるし、又は、異なるサイズであることもある。例えば、短い期間を有するＴＴＩの送信については、長い期間を有するＴＴＩの検知ウィンドウと比較して短い検知ウィンドウが使用される。
【００４４】
本開示の別の例示的な実施形態に従うと、閾値よりも長い期間を有するＴＴＩは、長い期間を有するＴＴＩの送信用の検知ウィンドウにおいて検知される。すなわち、長い期間を有するＴＴＩ、及び、特定の閾値よりも長い期間を有するＴＴＩだけが、長い期間を有するＴＴＩを対象として検知される必要がある。例えば、１３シンボルを含むＴＴＩの送信に関して、２シンボル又は３シンボルを含むＴＴＩは、２シンボル又は３シンボルによって引き起こされる干渉が、１３シンボルを含むＴＴＩの送信によって無視され得るので、検知される必要がない。
【００４５】
以下の表１は、ＮＲサイドリンクが、２シンボル、７シンボル、及び１４シンボルという、ＴＴＩの３つの期間のみをサポートする場合の更なる例を示している。
【表１】
2021532618.tif 000003
【００４６】
上に示されている表１において、ＴＴＩ期間が検知ウィンドウにおいてモニタされるかどうかは、リソース選択ウィンドウにおいて送信されるＴＴＩ期間に基づく。例えば、リソース選択ウィンドウにおいて送信されるＴＴＩ期間が２シンボルである場合、１４シンボルを含むＴＴＩ、７シンボルを含むＴＴＩ、及び２シンボルを含むＴＴＩの全てが、検知ウィンドウにおいてモニタされる。リソース選択ウィンドウにおいて送信されるＴＴＩ期間が７シンボル又は１４シンボルである場合、２シンボルを含むＴＴＩは、検知ウィンドウにおいて無視される。
【００４７】
図８は、本開示の一実施形態に従った、物理サイドリンクチャネルのための信号検知及びリソース選択動作の例示的なシナリオを示している。図８において、検知ウィンドウ８０１及びリソース選択ウィンドウ８０２が示されている。検知ウィンドウ８０１は、タイミング「ｎ−ａ」からタイミング「ｎ」までであり、検知ウィンドウ８０１において、上述したように、ロングＴＴＩ及びショートＴＴＩが検知される必要がある場合があり、これは、リソース選択ウィンドウ８０２において送信されるリソース候補のＴＴＩ長に基づく。ショートＴＴＩが検知ウィンドウ８０１に含まれる場合、検知ウィンドウ８０１の期間は、短縮されることもあるし、又は、短縮されることなく同じに保たれることもある。検知ウィンドウ８０１の後、リソース選択動作がトリガされ（８０３）、送信に使用される時間リソース及び周波数リソースが、検知ウィンドウ８０１からの検知結果に基づいて、リソース選択ウィンドウ８０２において選択される。例えば、あるＴＴＩ内のＰＳＳＣＨ８０４が、検知ウィンドウ８０１において強い干渉を有するとして検知された場合、ＵＥは、ＰＳＳＣＨ２に使用されるリソース候補が、検知された干渉によって周期的に影響され得る、リソース選択ウィンドウ８０２におけるリソース候補セットから、ＰＳＳＣＨ２に使用されるリソース候補を除去する（８０５）。図８に示されているように、リソース選択ウィンドウ８０２の期間は、長い期間を有するＴＴＩに基づいて決定されるので、長い。
【００４８】
図９は、本開示の一実施形態に従った、物理サイドリンクチャネルのための信号検知及びリソース選択動作の別の例示的なシナリオを示している。図９において、検知ウィンドウ９０１及びリソース選択ウィンドウ９０２が示されている。検知ウィンドウ９０１は、タイミング「ｎ−ａ」からタイミング「ｎ」までであり、検知ウィンドウ９０１において、上述したように、ロングＴＴＩ及びショートＴＴＩが検知される必要がある場合があり、これは、リソース選択ウィンドウ９０２において送信されるリソース候補のＴＴＩ長に基づく。ショートＴＴＩが検知ウィンドウ９０１に含まれる場合、検知ウィンドウ９０１の期間は、短縮されることもあるし、又は、短縮されることなく同じに保たれることもある。検知ウィンドウ９０１の後、リソース選択動作がトリガされ（９０３）、送信に使用される時間リソース及び周波数リソースが、検知ウィンドウ９０１からの検知結果に基づいて、リソース選択ウィンドウ９０２において選択される。図９において、リソース選択ウィンドウ９０２におけるＴＴＩは、短縮ＴＴＩであるので、リソース選択ウィンドウ９０２の期間は短い。この状況では、システム遅延を低減することができ、システム性能を向上させることができる。
【００４９】
ＮＲでは、検知は、ＴＴＩレベルで行われる。別の例示的なシナリオでは、選択ウィンドウにおける候補リソースのランク付けは、検知ウィンドウにおけるリソース選択のＴＴＩ期間と同じＴＴＩ期間において測定された平均化されたＳ−ＲＳＳＩに基づく。表２は、更なる例を示している。
【表２】
2021532618.tif 000004
【００５０】
上に示されている表２において、検知ウィンドウにおいてＳ−ＲＳＳＩを測定するために使用されるＴＴＩ期間は、リソース選択ウィンドウにおいてリソース候補をランク付けするために使用されるＴＴＩ期間と同じである。例えば、リソース候補をランク付けするためのリソース選択ウィンドウにおけるＴＴＩ期間が７シンボルである場合、平均化されるＳ−ＲＳＳＩは、７シンボルを含むＴＴＩ期間において測定される必要がある。
【００５１】
本開示の上記の実施形態において、ＵＥ１００及びその動作が、図１〜図９を参照して詳細に説明されている。送信機及び／又は受信機の両方として使用されるＵＥ１００の場合、ＵＥ１００は、本開示の上記の実施形態に基づいて、ロングＴＴＩ及び／又はショートＴＴＩを送信及び／又は受信する。受信機の場合、上記の動作は、ＴＴＩの期間、開始位置、及びＤＭＲＳ位置のようなチャネルフォーマットの構成を大幅に低減し、その結果、システムの複雑さが大幅に低減される。
【００５２】
本開示の別の実施形態において、基地局が提供される。図１０は、本開示の一実施形態に従った基地局の一部のブロック図を示している。図１０に示されているように、基地局１０００は、回路１０１０及び送信機１０２０を備えることができる。回路１０１０は、キャリアにおいて物理サイドリンクチャネルを送信及び／又は受信するための時間領域リソースを示す設定信号を生成する。送信機１０２０は、設定信号をユーザ機器に送信する。キャリアにおいて物理サイドリンクチャネルを送信及び／又は受信するために割当てられるＴＴＩは、ユーザ機器によって、設定信号に基づいて決定され、ＴＴＩの期間はスロット期間よりも短い。
【００５３】
例えば、基地局１０００は、図３に示されているような基地局３１０であってもよく、ユーザ機器は、図１に示されているようなＵＥ１００であってもよく、図２及び図３に示されているような車両２０１又は２０２であってもよい。上述したように、ＵＥ１００が、基地局１０００のカバレッジ内になる場合、ＵＥ１００は、基地局１０００から設定信号を受信し、キャリアにおいて物理サイドリンクチャネルを送信及び／又は受信するために割当てられるＴＴＩを決定することができる。設定信号は、ＤＣＩ、ＭＡＣ  ＣＥ、又はＲＲＣシグナリングであってよい。
【００５４】
例えば、図３を参照して上述したように、車両２０１は、基地局３１０との間でＵｕ通信を実行してよく、車両２０２との間でサイドリンク送信及び／他は受信を実行してよい。
【００５５】
図１１は、本開示の一実施形態に従ったユーザ機器の細部のブロック図を示している。図１１に示されているように、ＵＥ１１００は、符号化器１１０１、変調器１１０２、リソースマッパ１１０３、リソースマルチプレクサ１１０４、第１の信号プロセッサ１１０５、送信機１１０６、アンテナ１１０７、受信機１１０８、第２の信号プロセッサ１１０９、リソースデマルチプレクサ１１１０、リソースデマッパ１１１１、復調器１１１２、復号器１１１３、及び制御回路１１１４を含む。本開示の別の実施形態に従うと、送信機１１０６及び受信機１１０８は、送受信機１１１５として実現可能である。
【００５６】
例えば、符号化器１１０１は、送信データに対して符号化処理を実行し、変調器１１０２は、符号化された送信データに対して変調処理を実行して、データシンボル及び制御シンボルを生成する。リソースマッパ１１０３は、データシンボル及び制御シンボルを物理リソースにマッピングする。例えば、送信データが、別のＵＥに送信されるサイドリンクデータに属する場合、リソースマッパ１１０３は、データシンボル及び制御シンボルを、上記の実施形態に従って決定されたロングＴＴＩ期間及び／又はショートＴＴＩ期間を用いて物理サイドリンクチャネルにマッピングする。リソースマルチプレクサ１１０４は、データシンボル、制御シンボル、及び／又は同期情報等といった他の情報を多重化する。第１の信号プロセッサ１１０５は、リソースマルチプレクサ１１０４から出力された多重化された信号に対してアップコンバージョン等の信号処理を実行する。送信機１１０６は、処理されたサイドリンク信号を、アンテナ１１０７を介して別のＵＥに送信する。
【００５７】
ここで、符号化器１１０１、変調器１１０２、リソースマッパ１１０３、及びリソースマルチプレクサ１１０４の動作は、制御回路１１１４によって制御される。本開示の別の実施形態に従うと、制御回路１１１４は、図１１に示されている他の全てのユニット若しくはモジュール又は回路の動作を制御することができる。例えば、制御回路１１１４は、キャリアにおいて物理サイドリンクチャネルを送信及び／又は受信するために割当てられるＴＴＩを決定することができる。リソースマッパ１１０３は、サイドリンクデータシンボル及びサイドリンク制御シンボルを、決定されたＴＴＩにマッピングし、送信機１１０６は、キャリアにおいて決定されたＴＴＩでサイドリンク信号を別のＵＥに送信する。本開示の実施形態に従うと、決定されたＴＴＩの期間はスロット期間よりも短い。
【００５８】
加えて、受信機１１０８は、別のＵＥからアンテナ１１０７を介してサイドリンク信号を受信することができる。第２の信号プロセッサ１１０９は、受信機１１０８によって受信されたサイドリンク信号に対してダウンコンバージョン等の信号処理を実行する。リソースデマルチプレクサ１１１０は、処理されたサイドリンク信号を、サイドリンク制御シンボル及び／又はサイドリンクデータシンボルに逆多重化する。リソースデマッパ１１１１は、物理サイドリンクチャネルを送信及び／又は受信するために割当てられたＴＴＩ（ここで、ＴＴＩの期間はスロットの期間よりも短い）等の物理リソースから、サイドリンク制御シンボル及び／又はサイドリンクデータシンボルをデマッピングする。復調器１１１２は、サイドリンク制御シンボル及び／又はサイドリンクデータシンボルに対して復調処理を実行し、復号器１１１３は、復調されたサイドリンク制御シンボル及び／又はサイドリンクデータシンボルに対して復号処理を実行して、受信データを得る。
【００５９】
図１１に示されているユーザ機器１１００は、図１に示されているようなＵＥ１００として機能してもよいことに留意されたい。具体的には、送信機１１０６と受信機１１０８との組み合わせは、送受信機１２０に対応してもよい。回路１１０は、符号化器１１０１、変調器１１０２、リソースマッパ１１０３、リソースマルチプレクサ１１０４、第１の信号プロセッサ１１０５、第２の信号プロセッサ１１０９、リソースデマルチプレクサ１１１０、リソースデマッパ１１１１、復調器１１１２、復号器１１１３、及び制御回路１１１４を含んでもよい。あるいは、これらのユニットのうちの１つ以上は、具体的な要件に応じて、回路１１０から分離されてもよい。
【００６０】
ＵＥ１１００は、本開示の上記の実施形態に基づいて、ロングＴＴＩ及び／又はショートＴＴＩを送信及び／又は受信するので、ＴＴＩの期間、開始位置、及びＤＭＲＳ位置のようなチャネルフォーマットの構成を大幅に低減し、その結果、システムの複雑さが大幅に低減される。
【００６１】
図１２は、本開示の一実施形態に従った、２つのＵＥの間の通信のフローチャートを示している。例えば、ＵＥ１２１０及びＵＥ１２２０の両方は、図１に示されているようなＵＥ１００又は図１１に示されているＵＥ１１００として実現可能である。
【００６２】
例えば、図１２は、図２又は図３に同様に示されている、ＵＥ１２１０及び１２２０がいずれの基地局のカバレッジ外にある場合又はＵＥ１２１０及び１２２０が基地局のカバレッジ内にある場合に対応してもよい。すなわち、ＵＥ１２１０及び１２２０は、図２又は図３に示されている車両２０１及び２０２にそれぞれ対応してもよい。
【００６３】
図１２に示されているように、ステップＳＴ１２０１において、ＵＥ１２１０は、物理サイドリンクリソースを決定する。例えば、ＵＥ１２１０は、キャリアにおいて物理サイドリンクチャネルを送信及び／又は受信するために割当てられるＴＴＩを決定する。ここで、ＴＴＩの期間はスロット期間よりも短い。
【００６４】
ステップＳＴ１２０２において、ＵＥ１２１０及びＵＥ１２２０は、決定されたＴＴＩに基づいて、互いとの間でサイドリンク送信及び／又は受信を実行することができる。
【００６５】
本開示の更なる実施形態において、図１３に示されているような、ユーザ機器についての無線通信方法が提供される。図１３は、本開示の一実施形態に従った、ユーザ機器についての無線通信方法のフローチャートを示している。例えば、無線通信方法１３００は、図１及び図１１にそれぞれ示されているようなＵＥ１００／１１００に適用されてもよい。
【００６６】
図１３に示されているように、無線通信方法１３００は、ステップＳ１３０１で開始し、ステップＳ１３０１において、キャリアにおいて物理サイドリンクチャネルを送信及び／又は受信するために割当てられるＴＴＩが決定される。ステップＳ１３０２において、サイドリンク送信及び／又は受信が、キャリアにおいて決定されたＴＴＩに基づいて実行される。本開示の実施形態に従うと、決定されたＴＴＩの期間はスロット期間よりも短い。ステップＳ１３０２の後、無線通信方法１３００は終了する。例えば、互いとの間でサイドリンク送信及び／又は受信を実行するＵＥは、図２及び図３に示されているような車両２０１及び２０２であってもよい。
【００６７】
上述したような又は以下で説明するようなＵＥ１００における他の技術的特徴が、無線通信方法１３００に組み込まれてもよいが、冗長さを避けるためにここでは説明されないことに留意されたい。
【００６８】
無線通信方法１３００によれば、送信機及び受信機の両方として使用されるＵＥの場合、送信機及び受信機は、本開示の上記の実施形態に基づいて、ロングＴＴＩ及び／又はショートＴＴＩを送信及び／又は受信し、ＴＴＩの期間、開始位置、及びＤＭＲＳ位置のようなチャネルフォーマットの構成が大幅に低減され、その結果、システムの複雑さが大幅に低減される。
【００６９】
本開示の更なる実施形態において、図１４に示されているような、基地局についての無線通信方法が提供される。図１４は、本開示の一実施形態に従った、基地局についての無線通信方法のフローチャートを示している。例えば、無線通信方法１４００は、図１０に示されているような基地局１０００に適用されてもよい。
【００７０】
図１４に示されているように、無線通信方法１４００は、ステップＳ１４０１で開始し、ステップＳ１４０１において、キャリアにおいて物理サイドリンクチャネルを送信及び／又は受信するための時間領域リソースを示す設定信号が生成される。ステップＳ１４０２において、設定信号がユーザ機器に送信される。本開示の一実施形態に従うと、キャリアにおいて物理サイドリンクチャネルを送信及び／又は受信するために割当てられるＴＴＩは、ユーザ機器によって、制御信号に基づいて決定され、ＴＴＩの期間はスロット期間よりも短い。ステップＳ１４０２の後、無線通信方法１４００は終了する。例えば、ユーザ機器は、図１及び図１１に示されているようなＵＥ１００／１１００であってもよい。
【００７１】
無線通信方法１４００によれば、送信機及び受信機の両方として使用されるＵＥの場合、送信機及び受信機は、本開示の上記の実施形態に基づいて、ロングＴＴＩ及び／又はショートＴＴＩを送信及び／又は受信し、ＴＴＩの期間、開始位置、及びＤＭＲＳ位置のようなチャネルフォーマットの構成が大幅に低減され、その結果、システムの複雑さが大幅に低減される。
【００７２】
上述したような又は以下で説明するような基地局１０００における他の技術的特徴が、無線通信方法１４００に組み込まれてもよいが、冗長さを避けるためにここでは説明されないことに留意されたい。
【００７３】
本開示は、ソフトウェアによって、ハードウェアによって、又はハードウェアと協働するソフトウェアによって、実現可能である。上述した各実施形態の説明において使用されている各機能ブロックは、集積回路としてのＬＳＩによって実現可能であり、各実施形態において説明された各プロセスは、ＬＳＩによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ここで、ＬＳＩは、集積度の違いに応じて、ＩＣ、システムＬＳＩ、スーパーＬＳＩ、又はウルトラＬＳＩと称されることがある。しかしながら、集積回路を実現する技術は、ＬＳＩに限定されるものではなく、専用回路又は汎用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。
【００７４】
本開示は、本開示の内容及び範囲から逸脱することなく、本明細書において提示された説明及び既知の技術に基づいて、当業者によって様々に変形又は変更されることを意図しており、そのような変更及び応用は、保護されることを請求する範囲に含まれる。更に、本開示の内容から逸脱しない範囲で、上述した実施形態の構成要素は、任意に組み合わされてもよい。
【００７５】
本開示の実施形態は、少なくとも以下の主題を提供することができる。
【００７６】
（１）
動作中、キャリアにおいて物理サイドリンクチャネルを送信又は受信するために割当てられる送信時間間隔（ＴＴＩ）を決定する回路と、
動作中、キャリアにおいてＴＴＩに基づいて物理サイドリンクチャネルを送信又は受信する送受信機と、
を備え、
ＴＴＩの期間はスロット期間よりも短い、
ユーザ機器。
【００７７】
（２）
スロット期間は、少なくとも１つのＴＴＩを含み、少なくとも１つのＴＴＩの各々は、１つ以上のＯＦＤＭシンボルを含み、最初のＴＴＩ期間は、スロットの最初のＯＦＤＭシンボルから開始し、少なくとも１つのＴＴＩの各々のＴＴＩ期間の直後のＯＦＤＭシンボルは、ギャップのために予約されている、
（１）に記載のユーザ機器。
【００７８】
（３）
ロングＴＴＩ期間は、閾値以上の数の複数のＯＦＤＭシンボルを含む、
（１）〜（２）のうちのいずれかに記載のユーザ機器。
【００７９】
（４）
前方ＤＭＲＳ及び付加的なＤＭＲＳの両方が、ロングＴＴＩ期間において送信され、前方ＤＭＲＳは、ロングＴＴＩ期間の２番目のＯＦＤＭシンボルにおいて送信され、付加的なＤＭＲＳは、２番目のＯＦＤＭシンボルより後の他のＯＦＤＭシンボルにおいて送信される、
（１）〜（３）のうちのいずれかに記載のユーザ機器。
【００８０】
（５）
ショートＴＴＩ期間は、閾値未満の数の少なくとも１つのＯＦＤＭシンボルを含む、
（１）〜（４）のうちのいずれかに記載のユーザ機器。
【００８１】
（６）
付加的なＤＭＲＳは送信されず、前方ＤＭＲＳのみが、ショートＴＴＩ期間の２番目のＯＦＤＭシンボルにおいて送信される、
（１）〜（５）のうちのいずれかに記載のユーザ機器。
【００８２】
（７）
ＴＴＩにおいて、ＰＳＣＣＨによって使用されるＯＦＤＭシンボルは、ＰＳＳＣＨによって使用されるＯＦＤＭシンボルよりも少ない、
（１）〜（６）のうちのいずれかに記載のユーザ機器。
【００８３】
（８）
ＰＳＣＣＨ及びＰＳＳＣＨは、キャリアにおいて同じＯＦＤＭシンボル内で周波数分割多重（ＦＤＭ）される、
（１）〜（７）のうちのいずれかに記載のユーザ機器。
【００８４】
（９）
リソース選択ウィンドウの期間及び／又は検知ウィンドウの期間は、ＴＴＩの期間に応じて決定される、
（１）〜（８）のうちのいずれかに記載のユーザ機器。
【００８５】
（１０）
閾値よりも長い期間を有するＴＴＩは、長い期間を有するＴＴＩの送信用の検知ウィンドウにおいて検知される、
（９）に記載のユーザ機器。
【００８６】
（１１）
検知ウィンドウにおいてＳ−ＲＳＳＩを測定するために使用されるＴＴＩ期間は、リソース選択ウィンドウにおいてリソース候補をランク付けするために使用されるＴＴＩ期間と同じである、
（９）に記載のユーザ機器。
【００８７】
（１２）
スロット内の異なるＴＴＩにおけるＯＦＤＭシンボルは、時間領域において直交する、
（１）〜（１１）のうちのいずれかに記載のユーザ機器。
【００８８】
（１３）
ＤＦＴ−Ｓ−ＯＦＤＭの場合、ＴＴＩ期間は、少なくとも２つのＯＦＤＭシンボルを含む、
（１）〜（１２）のうちのいずれかに記載のユーザ機器。
【００８９】
（１４）
閾値は、５、６、７、８、９、及び１０のうちの１つに等しい、
（１）〜（１３）のうちのいずれかに記載のユーザ機器。
【００９０】
（１５）
ユーザ機器についての無線通信方法であって、
キャリアにおいて物理サイドリンクチャネルを送信又は受信するために割当てられる送信時間間隔（ＴＴＩ）を決定することと、
キャリアにおいてＴＴＩに基づいて物理サイドリンクチャネルを送信又は受信することと、
を含み、
ＴＴＩの期間はスロット期間よりも短い、
無線通信方法。
【００９１】
（１６）
スロット期間は、少なくとも１つのＴＴＩを含み、少なくとも１つのＴＴＩの各々は、１つ以上のＯＦＤＭシンボルを含み、最初のＴＴＩ期間は、スロットの最初のＯＦＤＭシンボルから開始し、少なくとも１つのＴＴＩの各々のＴＴＩ期間の直後のＯＦＤＭシンボルは、ギャップのために予約されている、
（１５）に記載の無線通信方法。
【００９２】
（１７）
ロングＴＴＩ期間は、閾値以上の数の複数のＯＦＤＭシンボルを含む、
（１５）〜（１６）のうちのいずれかに記載の無線通信方法。
【００９３】
（１８）
ロングＴＴＩ期間の２番目のＯＦＤＭシンボルにおいて前方ＤＭＲＳを送信し、２番目のＯＦＤＭシンボルより後の他のＯＦＤＭシンボルにおいて付加的なＤＭＲＳを送信すること
を更に含む、（１５）〜（１７）のうちのいずれかに記載の無線通信方法。
【００９４】
（１９）
ショートＴＴＩ期間は、閾値未満の数の少なくとも１つのＯＦＤＭシンボルを含む、
（１５）〜（１８）のうちのいずれかに記載の無線通信方法。
【００９５】
（２０）
付加的なＤＭＲＳを送信せず、ショートＴＴＩ期間の２番目のＯＦＤＭシンボルにおいて前方ＤＭＲＳのみを送信すること
を更に含む、（１５）〜（１９）のうちのいずれかに記載の無線通信方法。
【００９６】
（２１）
ＴＴＩにおいて、ＰＳＣＣＨによって使用されるＯＦＤＭシンボルは、ＰＳＳＣＨによって使用されるＯＦＤＭシンボルよりも少ない、
（１５）〜（２０）のうちのいずれかに記載の無線通信方法。
【００９７】
（２２）
ＰＳＣＣＨ及びＰＳＳＣＨは、キャリアにおいて同じＯＦＤＭシンボル内で周波数分割多重（ＦＤＭ）される、
（１５）〜（２１）のうちのいずれかに記載の無線通信方法。
【００９８】
（２３）
ＴＴＩの期間に応じて、リソース選択ウィンドウの期間及び／又は検知ウィンドウの期間を決定すること
を更に含む、（１５）〜（２２）のうちのいずれかに記載の無線通信方法。
【００９９】
（２４）
閾値よりも長い期間を有するＴＴＩは、長い期間を有するＴＴＩの送信用の検知ウィンドウにおいて検知される、
（２３）に記載の無線通信方法。
【０１００】
（２５）
検知ウィンドウにおいてＳ−ＲＳＳＩを測定するために使用されるＴＴＩ期間は、リソース選択ウィンドウにおいてリソース候補をランク付けするために使用されるＴＴＩ期間と同じである、
（２３）に記載の無線通信方法。
【０１０１】
（２６）
スロット内の異なるＴＴＩにおけるＯＦＤＭシンボルは、時間領域において直交する、
（１５）〜（２５）のうちのいずれかに記載の無線通信方法。
【０１０２】
（２７）
ＤＦＴ−Ｓ−ＯＦＤＭの場合、ＴＴＩ期間は、少なくとも２つのＯＦＤＭシンボルを含む、
（１５）〜（２６）のうちのいずれかに記載の無線通信方法。
【０１０３】
（２８）
閾値は、５、６、７、８、９、及び１０のうちの１つに等しい、
（１５）〜（２７）のうちのいずれかに記載の無線通信方法。
【０１０４】
（２９）
動作中、キャリアにおいて物理サイドリンクチャネルを送信又は受信するための時間領域リソースを示す設定信号を生成する回路と、
動作中、設定信号をユーザ機器に送信する送信機と、
を備え、
キャリアにおいて物理サイドリンクチャネルを送信又は受信するために割当てられる送信時間間隔（ＴＴＩ）は、ユーザ機器によって、設定信号に基づいて決定され、ＴＴＩの期間はスロット期間よりも短い、
基地局。
【０１０５】
（３０）
スロット期間は、少なくとも１つのＴＴＩを含み、少なくとも１つのＴＴＩの各々は、１つ以上のＯＦＤＭシンボルを含み、最初のＴＴＩ期間は、スロットの最初のＯＦＤＭシンボルから開始し、少なくとも１つのＴＴＩの各々のＴＴＩ期間の直後のＯＦＤＭシンボルは、ギャップのために予約されている、
（２９）に記載の基地局。
【０１０６】
（３１）
ロングＴＴＩ期間は、閾値以上の数の複数のＯＦＤＭシンボルを含む、
（２９）〜（３０）のうちのいずれかに記載の基地局。
【０１０７】
（３２）
前方ＤＭＲＳ及び付加的なＤＭＲＳの両方が、ロングＴＴＩ期間において送信され、前方ＤＭＲＳは、ロングＴＴＩ期間の２番目のＯＦＤＭシンボルにおいて送信され、付加的なＤＭＲＳは、２番目のＯＦＤＭシンボルより後の他のＯＦＤＭシンボルにおいて送信される、
（２９）〜（３１）のうちのいずれかに記載の基地局。
【０１０８】
（３３）
ショートＴＴＩ期間は、閾値未満の数の少なくとも１つのＯＦＤＭシンボルを含む、
（２９）〜（３２）のうちのいずれかに記載の基地局。
【０１０９】
（３４）
付加的なＤＭＲＳは送信されず、前方ＤＭＲＳのみが、ショートＴＴＩ期間の２番目のＯＦＤＭシンボルにおいて送信される、
（２９）〜（３３）のうちのいずれかに記載の基地局。
【０１１０】
（３５）
ＴＴＩにおいて、ＰＳＣＣＨによって使用されるＯＦＤＭシンボルは、ＰＳＳＣＨによって使用されるＯＦＤＭシンボルよりも少ない、
（２９）〜（３４）のうちのいずれかに記載の基地局。
【０１１１】
（３６）
ＰＳＣＣＨ及びＰＳＳＣＨは、キャリアにおいて同じＯＦＤＭシンボル内で周波数分割多重（ＦＤＭ）される、
（２９）〜（３５）のうちのいずれかに記載の基地局。
【０１１２】
（３７）
リソース選択ウィンドウの期間及び／又は検知ウィンドウの期間は、ＴＴＩの期間に応じて決定される、
（２９）〜（３６）のうちのいずれかに記載の基地局。
【０１１３】
（３８）
閾値よりも長い期間を有するＴＴＩは、長い期間を有するＴＴＩの送信用の検知ウィンドウにおいて検知される、
（３７）に記載の基地局。
【０１１４】
（３９）
検知ウィンドウにおいてＳ−ＲＳＳＩを測定するために使用されるＴＴＩ期間は、リソース選択ウィンドウにおいてリソース候補をランク付けするために使用されるＴＴＩ期間と同じである、
（３７）に記載の基地局。
【０１１５】
（４０）
スロット内の異なるＴＴＩにおけるＯＦＤＭシンボルは、時間領域において直交する、
（２９）〜（３９）のうちのいずれかに記載の基地局。
【０１１６】
（４１）
ＤＦＴ−Ｓ−ＯＦＤＭの場合、ＴＴＩ期間は、少なくとも２つのＯＦＤＭシンボルを含む、
（２９）〜（４０）のうちのいずれかに記載の基地局。
【０１１７】
（４２）
閾値は、５、６、７、８、９、及び１０のうちの１つに等しい、
（２９）〜（４１）のうちのいずれかに記載の基地局。
【０１１８】
（４３）
基地局についての無線通信方法であって、
キャリアにおいて物理サイドリンクチャネルを送信又は受信するための時間領域リソースを示す設定信号を生成することと、
設定信号をユーザ機器に送信することと、
を含み、
キャリアにおいて物理サイドリンクチャネルを送信又は受信するために割当てられる送信時間間隔（ＴＴＩ）は、ユーザ機器によって、設定信号に基づいて決定され、ＴＴＩの期間はスロット期間よりも短い、
無線通信方法。
【０１１９】
（４４）
スロット期間は、少なくとも１つのＴＴＩを含み、少なくとも１つのＴＴＩの各々は、１つ以上のＯＦＤＭシンボルを含み、最初のＴＴＩ期間は、スロットの最初のＯＦＤＭシンボルから開始し、少なくとも１つのＴＴＩの各々のＴＴＩ期間の直後のＯＦＤＭシンボルは、ギャップのために予約されている、
（４３）に記載の無線通信方法。
【０１２０】
（４５）
ロングＴＴＩ期間は、閾値以上の数の複数のＯＦＤＭシンボルを含む、
（４３）〜（４４）のうちのいずれかに記載の無線通信方法。
【０１２１】
（４６）
ロングＴＴＩ期間の２番目のＯＦＤＭシンボルにおいて前方ＤＭＲＳを送信し、２番目のＯＦＤＭシンボルより後の他のＯＦＤＭシンボルにおいて付加的なＤＭＲＳを送信すること
を更に含む、（４３）〜（４５）のうちのいずれかに記載の無線通信方法。
【０１２２】
（４７）
ショートＴＴＩ期間は、閾値未満の数の少なくとも１つのＯＦＤＭシンボルを含む、
（４３）〜（４６）のうちのいずれかに記載の無線通信方法。
【０１２３】
（４８）
付加的なＤＭＲＳを送信せず、ショートＴＴＩ期間の２番目のＯＦＤＭシンボルにおいて前方ＤＭＲＳのみを送信すること
を更に含む、（４３）〜（４７）のうちのいずれかに記載の無線通信方法。
【０１２４】
（４９）
ＴＴＩにおいて、ＰＳＣＣＨによって使用されるＯＦＤＭシンボルは、ＰＳＳＣＨによって使用されるＯＦＤＭシンボルよりも少ない、
（４３）〜（４８）のうちのいずれかに記載の無線通信方法。
【０１２５】
（５０）
ＰＳＣＣＨ及びＰＳＳＣＨは、キャリアにおいて同じＯＦＤＭシンボル内で周波数分割多重（ＦＤＭ）される、
（４３）〜（４９）のうちのいずれかに記載の無線通信方法。
【０１２６】
（５１）
ＴＴＩの期間に応じて、リソース選択ウィンドウの期間及び／又は検知ウィンドウの期間を決定すること
を更に含む、（４３）〜（５０）のうちのいずれかに記載の無線通信方法。
【０１２７】
（５２）
閾値よりも長い期間を有するＴＴＩは、長い期間を有するＴＴＩの送信用の検知ウィンドウにおいて検知される、
（５１）に記載の無線通信方法。
【０１２８】
（５３）
検知ウィンドウにおいてＳ−ＲＳＳＩを測定するために使用されるＴＴＩ期間は、リソース選択ウィンドウにおいてリソース候補をランク付けするために使用されるＴＴＩ期間と同じである、
（５１）に記載の無線通信方法。
【０１２９】
（５４）
スロット内の異なるＴＴＩにおけるＯＦＤＭシンボルは、時間領域において直交する、
（４３）〜（５３）のうちのいずれかに記載の無線通信方法。
【０１３０】
（５５）
ＤＦＴ−Ｓ−ＯＦＤＭの場合、ＴＴＩ期間は、少なくとも２つのＯＦＤＭシンボルを含む、
（４３）〜（５４）のうちのいずれかに記載の無線通信方法。
【０１３１】
（５６）
閾値は、５、６、７、８、９、及び１０のうちの１つに等しい、
（４３）〜（５５）のうちのいずれかに記載の無線通信方法。
【図１】
2021532618.tif 000005
【図２】
2021532618.tif 000006
【図３】
2021532618.tif 000007
【図４】
2021532618.tif 000008
【図５】
2021532618.tif 000009
【図６】
2021532618.tif 000010
【図７】
2021532618.tif 000011
【図８】
2021532618.tif 000012
【図９】
2021532618.tif 000013
【図１０】
2021532618.tif 000014
【図１１】
2021532618.tif 000015
【図１２】
2021532618.tif 000016
【図１３】
2021532618.tif 000017
【図１４】
2021532618.tif 000018
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
スロット内のサイドリンク通信に用いられる連続するシンボルを決定する制御回路と、
前記連続するシンボルにおいてサイドリンクデータチャネルを送信する送信機と、を具備し、
前記連続するシンボルの数は、前記スロット内のシンボルの数よりも少ない、
通信装置。
【請求項２】
前記連続するシンボルの最終シンボルに隣接するシンボルをガード期間とする、
請求項１に記載の通信装置。
【請求項３】
前記連続するシンボルの数は２以上である、
請求項１に記載の通信装置。
【請求項４】
前記連続するシンボルの数は、前記スロット内のサイドリンク制御チャネルに用いられる連続するシンボルの数よりも多い、
請求項１に記載の通信装置。
【請求項５】
前記サイドリンクデータチャネル及び前記サイドリンク制御チャネルは周波数多重で配置される、
請求項４に記載の通信装置。
【請求項６】
前記連続するシンボルの数に関わらず、前記スロット内の第１のシンボルに復調用参照信号を配置しない、
請求項１に記載の通信装置。
【請求項７】
前記連続するシンボルの数が小さい場合は、前記連続するシンボルの数が大きい場合と比較して、前記連続するシンボルにおいて復調用参照信号が配置されるシンボルの数が少ない、
請求項１に記載の通信装置。
【請求項８】
前記連続するシンボルの数が少ない場合、前記スロット内の第２のシンボルは復調用参照信号に用いられる、
請求項１に記載の通信装置。
【請求項９】
前記連続するシンボルの数は複数のシンボルの数から選択される、
請求項１に記載の通信装置。
【請求項１０】
スロット内のサイドリンク通信に用いられる連続するシンボルを決定し、
前記連続するシンボルにおいてサイドリンクデータチャネルを送信し、
前記連続するシンボルの数は、前記スロット内のシンボルの数よりも少ない、
通信方法。
【請求項１１】
スロット内のサイドリンク通信に用いられる連続するシンボルを決定する処理と、
前記連続するシンボルにおいてサイドリンクデータチャネルを送信する処理と、を制御し、
前記連続するシンボルの数は、前記スロット内のシンボルの数よりも少ない、
集積回路。
【国際調査報告】
2021532618.tif 000019
2021532618.tif 000020
2021532618.tif 000021